(57)【要約】【課題】  動画系列から画像を抽出する作業の操作性を向上させる画像処理装置、プログラム及び方法を提供する。【解決手段】  動画系列から画像を抽出するための画像処理装置であって、実時間の経過に伴って前記動画系列内で現在位置を移動させながら前記動画系列内の前記現在位置の画像を再生する第一再生手段と、前記動画系列内の抽出対象期間の設定操作を受け付ける期間設定手段と、前記期間設定手段が前記動画系列内の抽出対象期間の開始位置の設定操作を受け付けるとき当該開始位置の画像を再生する第二再生手段と、前記期間設定手段が前記動画系列内の抽出対象期間の終了位置の設定操作を受け付けるとき当該終了位置の画像を再生する第三再生手段と、前記抽出対象期間の設定操作が開始される前の前記現在位置、並びに、前記開始位置及び前記終了位置を別々に記憶する記憶手段と、前記動画系列の前記抽出対象期間内の画像を抽出する抽出手段とを備えることを特徴とする画像処理装置。【選択図】    図１
2005094664.tif 000002
【特許請求の範囲】
【請求項１】
動画系列から画像を抽出するための画像処理装置であって、
実時間の経過に伴って前記動画系列内で現在位置を移動させながら前記動画系列内の前記現在位置の画像を再生する第一再生手段と、
前記動画系列内の抽出対象期間の設定操作を受け付ける期間設定手段と、
前記期間設定手段が前記動画系列内の抽出対象期間の開始位置の設定操作を受け付けるとき当該開始位置の画像を再生する第二再生手段と、
前記期間設定手段が前記動画系列内の抽出対象期間の終了位置の設定操作を受け付けるとき当該終了位置の画像を再生する第三再生手段と、
前記抽出対象期間の設定操作が開始される前の前記現在位置、並びに、前記開始位置及び前記終了位置を別々に記憶する記憶手段と、
前記動画系列の前記抽出対象期間内の画像を抽出する抽出手段と、
を備えることを特徴とする画像処理装置。
【請求項２】
前記現在位置、前記開始位置及び前記終了位置を同一の時間軸線に沿って示す位置表示手段をさらに備えることを特徴とする請求項１に記載の画像処理装置。
【請求項３】
前記期間設定手段は、前記開始位置を示す一端と前記終了位置を示す他端とが前記時間軸線に沿って移動する伸縮可能なアイコンによって、前記動画系列内の抽出対象期間の設定操作を受け付けることを特徴とする請求項１又は２に記載の画像処理装置。
【請求項４】
前記抽出手段は、前記動画系列の前記抽出対象期間から一定間隔で画像を抽出することを特徴とする請求項１〜３のいずれか一項に記載の画像処理装置。
【請求項５】
前記抽出手段は、前記動画系列の前記抽出対象期間から抽出する画像の間隔、前記動画系列の前記抽出対象期間から抽出する画像の総数のいずれか一方を設定する操作を受け付けることを特徴とする請求項４に記載の画像処理装置。
【請求項６】
前記位置表示手段は、前記抽出手段によって抽出される全画像の前記動画系列内の位置を前記時間軸線に沿って示すことを特徴とする請求項４又は５に記載の画像処理装置。
【請求項７】
実時間の経過に伴って前記動画系列内で現在位置を移動させながら前記動画系列内の前記現在位置の画像を再生する第一再生手段と、
前記動画系列内の抽出対象期間の設定操作を受け付ける期間設定手段と、
前記期間設定手段が前記動画系列内の抽出対象期間の開始位置の設定操作を受け付けるとき当該開始位置の画像を再生する第二再生手段と、
前記期間設定手段が前記動画系列内の抽出対象期間の終了位置の設定操作を受け付けるとき当該終了位置の画像を再生する第三再生手段と、
前記現在位置、前記開始位置及び前記終了位置を別々に記憶する記憶手段と、
前記動画系列の前記抽出対象期間内の画像を抽出する抽出手段と、
してコンピュータを機能させることを特徴とする画像処理プログラム。
【請求項８】
実時間の経過に伴って前記動画系列内で現在位置を移動させながら前記動画系列内の前記現在位置の画像を再生する第一再生段階と、
前記動画系列内の抽出対象期間の設定操作を受け付ける抽出期間設定段階と、
前記期間設定手段が前記動画系列内の抽出対象期間の開始位置の設定操作を受け付けるとき当該開始位置の画像を再生する第二再生段階と、
前記期間設定手段が前記動画系列内の抽出対象期間の終了位置の設定操作を受け付けるとき当該終了位置の画像を再生する第三再生段階と、
前記現在位置、前記開始位置及び前記終了位置を別々に記憶する記憶手段と、
前記動画系列の前記抽出対象期間内の画像を抽出する抽出段階と、
を含むことを特徴とする画像処理方法。
【発明の詳細な説明】
【技術分野】
【０００１】
本発明は、画像処理装置、プログラム及び方法に関し、特に動画系列から画像を抽出するための画像処理装置、プログラム及び方法に関する。
【背景技術】
【０００２】
従来、所定の規格で作成された動画ファイルで表される動画系列を編集したり、動画系列から画像を抽出して所定の規格の静止画ファイルに書き出したりする画像処理装置が知られている。このような画像処理装置では、ユーザに特定の期間を設定させ、その期間に対応する１つ以上の画像を抽出して新しい静止画ファイルや動画ファイルに書き出すとき、開始位置と終了位置に対応する画像を表示しながらユーザに期間を設定させることにより、操作が容易になる。
【０００３】
しかし、従来、再生対象の画像の動画系列内の位置に対応するアイコンは１つであったため、次のような問題があった。すなわち、動画系列を先頭から順に自動再生しながら、画像を抽出する期間の開始位置又は終了位置を設定するとき、通常、自動再生を一端中断し、最後に再生された画像の位置から戻った位置に開始位置又は終了位置を設定する。このとき一般に、再生対象の画像の動画系列内の位置に対応するアイコンを移動させることによって、開始位置又は終了位置に対応する画像を画面上で確認することができる。しかし、そのアイコンは自動再生を再開させるときの開始位置にも対応しているため、再生対象の画像の動画系列内の位置に対応するアイコンを移動させると、自動再生を中断させた正確な位置から自動再生を再開することができなくなる。
【発明の開示】
【発明が解決しようとする課題】
【０００４】
本発明は、上記の問題を解決するために創作されたものであって、動画系列から画像を抽出する作業の操作性を向上させる画像処理装置、プログラム及び方法を提供することを目的とする。
【課題を解決するための手段】
【０００５】
上記目的を達成するため、本発明に係る画像処理装置は、動画系列から画像を抽出するための画像処理装置であって、実時間の経過に伴って前記動画系列内で現在位置を移動させながら前記動画系列内の前記現在位置の画像を再生する第一再生手段と、前記動画系列内の抽出対象期間の設定操作を受け付ける期間設定手段と、前記期間設定手段が前記動画系列内の抽出対象期間の開始位置の設定操作を受け付けるとき当該開始位置の画像を再生する第二再生手段と、前記期間設定手段が前記動画系列内の抽出対象期間の終了位置の設定操作を受け付けるとき当該終了位置の画像を再生する第三再生手段と、前記抽出対象期間の設定操作が開始される前の前記現在位置、並びに、前記開始位置及び前記終了位置を別々に記憶する記憶手段と、前記動画系列の前記抽出対象期間内の画像を抽出する抽出手段と、を備えることを特徴とする。画像が抽出される抽出対象期間をユーザに設定させるとき、抽出対象期間の開始位置と終了位置とは別に、抽出対象期間の設定操作が開始される前の現在位置を記憶しておくことにより、抽出対象期間の設定を終了した後に、抽出対象期間を設定する前の現在位置から実時間の経過に伴って動画系列を再生することが可能になる。また、抽出対象期間の開始位置と終了位置の設定操作を受け付けるときに、開始位置と終了位置の画像を再生することによって、ユーザが望む抽出対象期間を正確に設定することが容易になる。
【０００６】
さらに本発明に係る画像処理装置では、前記現在位置、前記開始位置及び前記終了位置を同一の時間軸線に沿って示す位置表示手段をさらに備えることを特徴とする。現在位置、開始位置、及び終了位置を同一の時間軸線に沿って示すことにより、それらの相対的な位置関係を把握することが容易になる。
【０００７】
さらに本発明に係る画像処理装置では、前記期間設定手段は、前記開始位置を示す一端と前記終了位置を示す他端とが前記時間軸線に沿って移動する伸縮可能なアイコンによって、前記動画系列内の抽出対象期間の設定操作を受け付けることを特徴とする。開始位置を示す一端と終了位置を示す他端とが時間軸線に沿って移動する伸縮可能なアイコンで抽出対象期間の設定操作を受け付けることによって、抽出対象期間の直感的な設定操作が可能になる。
【０００８】
さらに本発明に係る画像処理装置では、前記抽出手段は、前記動画系列の前記抽出対象期間から一定間隔で画像を抽出することを特徴とする。動画系列から一定間隔で画像を抽出することにより、動画系列から複数の画像を抽出することが容易になる。
【０００９】
さらに本発明に係る画像処理装置では、前記抽出手段は、前記動画系列の前記抽出対象期間から抽出する画像の間隔、前記動画系列の前記抽出対象期間から抽出する画像の総数のいずれか一方を設定する操作を受け付けることを特徴とする。間隔又は総数のいずれかをユーザに設定させることにより、目的に応じて動画系列から複数の画像を抽出することが容易になる。
【００１０】
さらに本発明に係る画像処理装置では、前記位置表示手段は、前記抽出手段によって抽出される全画像の前記動画系列内の位置を前記時間軸線に沿って示すことを特徴とする。抽出される全画像の動画系列内の位置を時間軸線に沿って示すことにより、抽出される各画像の動画系列全体での位置と、抽出される他の画像との相対的な位置とを直感的に把握できるようになる。
【００１１】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１２】
以下、実施例に基づいて本発明の実施の形態を説明する。
図２は、本発明の一実施例に係る画像処理装置１のハードウェア構成を示すブロック図である。画像処理装置１は、ＣＰＵ１１、ＲＯＭ１２、ワークメモリ１３、インターフェース部１４、操作部１５、表示部１６、外部記憶部１７、及びタイマ１９を備え、これらはバス１８で相互に接続されている。ＣＰＵ１１はＲＯＭ１２や外部記憶部１７に記憶されているプログラムを実行して画像処理装置１全体を制御する。また、ＣＰＵ１１は後述する画像処理プログラムを実行することにより、第一再生手段、期間設定手段、第二再生手段、第三再生手段、抽出手段、及び位置表示手段としても機能する。ＲＯＭ１２は、各種プログラムやデータを予め記憶しているメモリである。記憶手段としてのワークメモリ１３は、各種プログラムやデータを一時的に記憶するメモリである。操作部１５はマウスやキーボード等を備え、期間設定手段、及びその他ユーザの操作を受け付ける手段として機能する。表示部１６はＣＲＴやＬＣＤなどで構成され、第一再生手段、期間設定手段、第二再生手段、第三再生手段、及び位置表示手段として機能する。インターフェース部１４は、例えばＵＳＢやＩＥＥＥ１３９４などの通信規格に準拠して構成されている。インターフェース部１４はディジタルビデオカメラやディジタル動画像の撮影が可能なディジタルスチルカメラなどと通信規格に応じた所定のケーブルを介して接続され、撮影されたディジタル動画像は再生の際に画像処理装置１に読み込まれ再生される。これらのディジタル動画像はＭｏｔｉｏｎ−ＪＰＥＧ方式やＭＰＥＧ方式で圧縮された動画系列ファイルとしてディジタルビデオカメラやディジタルスチルカメラに記憶されている。尚、ディジタルカメラと画像処理装置１とをケーブルで接続するのではなく、リムーバブルメモリを介して画像処理装置１にディジタル動画像を入力するようにしてもよい。また、インターフェース部１４を介して入力した動画系列ファイルを外部記憶部１７に記憶しておき、記憶しておいた動画系列を再生することもできる。外部記憶部１７はハードディスクやハードディスクコントローラ等で構成され、オペレーティングシステム（ＯＳ）、画像処理プログラム、静止画像、動画系列ファイル等を記憶する。タイマ１９は、動画系列の再生時に実時間にあわせたタイミングで更新されるカウンタである。プリンタ２０は、ケーブルを介してインターフェース部１４に接続され、画像処理装置１で抽出された画像等を印刷する。これらのプログラムや各種のデータは、所定のサーバからネットワークを介してダウンロードして入力してもよいし、図示しないリムーバブルメモリ等のコンピュータ読み取り可能な記憶媒体から読み出して入力してもよい。
【００１３】
図３は、本発明の一実施例に係る画像処理プログラムの論理的な構成を示すブロック図である。ＣＰＵ１１で実行される画像処理プログラムは、動画系列入力部６１、動画再生部６２、画面構成部６３、画像抽出部６４、印刷部６５、ファイル部６６等により構成されている。画面構成部６３は、表示部１６の表示の制御と操作部１５による表示部１６での操作及び入力の受け付けを行う。この画面構成部６３には、抽出条件設定部７０が含まれ、詳細は後述する。動画系列入力部６１は、外部記憶部１７に記憶されている動画系列ファイルの読み込みを画面構成部６３において受け付けると、画面構成部６３で選択を受け付けた動画系列ファイルをワークメモリ１３に記憶する。また、画面構成部６３においてディジタルビデオカメラ等に記憶されている動画系列ファイルの読み込みを受け付けると、インターフェース部１４を制御して接続されているディジタルビデオカメラ等に記憶されている動画系列ファイルをワークメモリ１３に記憶する。動画再生部６２は、画面構成部６３において動画系列の再生指示を受け付けると、Ｍｏｔｉｏｎ−ＪＰＥＧ規格やＭＰＥＧ規格で圧縮された動画系列を伸張し各フレームの画像をタイマ１９と同期を取りながら画面上の再生領域に再生する。画像抽出部６４は、画面構成部６３において設定を受け付けた抽出条件に基づいて、ワークメモリ１３に記憶されている動画系列から抽出する画像を特定し、そのサムネイル画像を画面上の縮小画像領域に表示する。印刷部６５は、画面構成部６３において画像が選択され「プリント」ボタンのクリックを受け付けると、対応する画像の色空間の変換、ガンマ補正、カラーバランス調整、シャープネス調整、コントラスト調整、画像の解像度を印刷解像度に変換する解像度変換、２値化処理、インターレース処理等を施して印刷データを生成し、プリンタ２０に印刷要求を出力する。ファイル部６６は、画面構成部６３において画像が選択され「保存」ボタン４７のクリックを受け付けると、選択された画像を外部記憶部１７に記憶する。
【００１４】
次に、本発明の一実施例に係る画像処理装置１のユーザインターフェースについて説明する。
図４、図５は、ムービークリップウインドウ３０を示す模式図である。ムービークリップウインドウ３０は、画面構成部６３が表示部１６を制御することで提供されるユーザインターフェースであり、ムービーファイル取り込み領域３１、ムービーファイルの切り取り領域３２、及び静止画出力領域３３から構成されている。
【００１５】
ムービーファイル取り込み領域３１は、動画系列ファイルを選択するための領域である。外部記憶部１７に記憶されている動画系列ファイルを選択する場合、ユーザははじめに「ムービーファイル」のラジオスイッチ７１をマウスでクリックし、次に「参照」ボタン７６をクリックする。「参照」ボタン７６がクリックされると、画像処理装置１は、図示しないフォルダ選択ダイアログを表示し、ユーザは目的の動画系列ファイルが記憶されているフォルダを選択できる。ユーザがフォルダを選択すると、選択したフォルダ名を「参照」ボタン７６の左側に表示し、それとともに当該フォルダに所定のファイル形式で記憶されている動画系列ファイルのファイル名を一覧表示する。ユーザは所望の動画系列ファイルをマウスでクリックすることにより、動画系列ファイルを選択する。画像処理装置１の外部に接続されているディジタルビデオカメラに記憶されている動画系列ファイルを選択する場合には、「ＤＶカメラ」のラジオスイッチ７２をマウスでクリックする。
【００１６】
ムービーファイルの切り取り領域３２は、選択された動画系列を構成する画像のうちユーザが所望の画像を選択するための領域である。ムービーファイルの切り取り領域３２は、動画系列が再生される再生領域３４と、動画系列の再生を指示するための「再生」ボタン３５、再生の一時停止を指示するための「一時停止」ボタン３６、「一コマ戻し」ボタン３８、「コマ送り」ボタン３９、抽出手段としての「切り取り」ボタン４０、選択された動画系列ファイルの撮影時間に対応する直線である現在位置表示バー４１、再生中のフレームの撮影開始からの経過時間（以下、撮影経過時間という）を現在位置表示バー４１上で示す現在位置表示ブロック４２、再生中の動画系列の撮影時間及び再生中のフレームの撮影経過時間をテキストで表示する時間表示４３、及び切り取り条件を設定するための設定領域４４を備えている。
【００１７】
静止画出力領域３３は、外部記憶部１７に記憶する画像や、印刷する画像の選択を受け付けるための領域である。静止画出力領域３３は、ムービーファイルの切り取り領域３２で抽出された画像のサムネイル画像を表示する縮小画像領域４５と、外部記憶部１７への記憶を指示するための「保存」ボタン４７、縮小画像領域４５からの削除を指示するための「削除」ボタン４６等の各種ボタンを備えている。
【００１８】
以下、切り取り条件として「一枚ずつ」を選択されたときを例として、ムービークリップウインドウ３０の各ボタン等の機能について説明する。
図４は、ユーザにより設定領域４４の「一枚ずつ」のラジオスイッチ７３をマウスでクリックされたときのムービークリップウインドウ３０である。ユーザにより「再生」ボタン３５がマウスでクリックされると、画像処理装置１は、ムービーファイル取り込み領域３１で選択されている動画系列を再生領域３４に再生する。ここで再生領域３４は、第一再生手段として機能する。動画系列の各フレームには撮影経過時間に対応した識別子が時系列順に予め付与されている。画像表示装置１は、「再生」ボタン３５がクリックされて動画系列を再生するとき、再生する画像が実時間に対応するように、タイマ１９にカウントされている実時間と表示するフレームの識別子が示す撮影経過時間との同期をとって、各フレームの画像を順次再生領域３４に表示する。また、現在位置表示ブロック４２は、現在位置表示バー４１上において、再生中の画像の撮影経過時間を示す位置に表示する。
【００１９】
図５は、「切り取り」ボタン４０がマウスでクリックされたときのムービークリップウインドウ３０である。画像再生時、「一時停止」ボタン３６がマウスでクリックされて再生が一時停止されると、画像処理装置１は、タイマ１９のカウントを停止し、再生領域３４にはクリックされた時点の画像を表示し、現在位置ブロック４２の移動を停止する。その後、「切り取り」ボタン４０がクリックされると、再生領域３４に表示されている画像のサムネイル画像４９を、静止画出力領域３３の縮小画像領域４５に表示する。尚、「切り取り」ボタン４０がクリックされることにより画像を抽出して縮小画像領域４５表示するのは、必ずしも一時停止している状態ばかりでなく、再生中でもよいし、一時停止後「一コマ戻し」ボタン３８や「コマ送り」ボタン３９によりコマ送り再生を行った後でもよい。縮小画像領域４５には、「切り取り」ボタン４０がクリックされる度にその時点で再生領域３４に表示されていた画像のサムネイル画像を順次表示する。また、ユーザが縮小画像領域４５に表示されているサムネイル画像をマウスでクリックして選択した後、「削除」ボタン４６をクリックすると、画像処理装置１は、縮小画像領域４５から選択された画像を削除する。さらに、ユーザが縮小画像領域４５に表示されているサムネイル画像をマウスでクリックして選択した後、「保存」ボタン４７をクリックすると、画像処理装置１は、図示しないファイル保存ダイアログを表示し、ユーザにより保存したいフォルダの選択及びファイル名の入力が行われると、選択された画像を外部記憶装置１７等に保存する。また、「プリント」ボタン４８がクリックされると、縮小画像領域４５に表示されている画像を印刷する。
【００２０】
次に、切り取り条件として「一定間隔で連続」が選択されたときのユーザインターフェースと画像処理プログラムを実行する画像処理装置１について説明する。
図６は、「一定間隔で連続」が選択されたときの画像処理装置１で実行される画像抽出部６４の処理を示す模式図である。「一定間隔で連続」が選択され、各種設定項目が設定された後「切り取り」ボタン４０がクリックされると、画像処理装置１は、選択された動画系列ファイル５０において、ユーザにより設定される「開始位置」と「終了位置」で特定される抽出対象期間に撮影された画像群から、設定された時間間隔で画像を特定し、縮小画像領域４５にその画像のサムネイル画像を表示する。図例において具体的に説明すると、選択された動画系列ファイル５０において、画像は１秒に１０フレームが記録されており、各フレームには、撮影時刻を示す識別子が付与されているとする。画像処理装置１は、ユーザにより設定された抽出対象期間（図例では、開始位置「０９：００」から終了位置「１３：００」まで）で特定される画像群から、設定された間隔（図例では、１秒）で画像を特定し、縮小画像領域４５に表示する。以下、その詳細について説明する。
【００２１】
図１は、切り取り条件として「一定間隔で連続」を選択したときの画像処理プログラムにおける抽出条件設定部７０の処理を示すフローチャート、図７は、「一定間隔で連続」を選択時のムービークリップウインドウ３０を示す模式図である。
ムービーファイル取り込み領域３１において動画系列ファイルが選択され、ムービーファイル切り取り領域３２において、「一定間隔で連続」のラジオスイッチ７４がマウスによりクリックされると（ステップＳ１００）、画像処理装置１は、現在位置表示バー４１に沿って伸縮自在な切り取り設定バー５２を表示し（ステップＳ１０２）、画像の抽出間隔を設定するプルダウンメニュー５１への操作の受付を可能とする。切り取り設定バー５２には、抽出間隔に相当する間隔で区切り線７７が書き込まれており、抽出間隔は予めデフォルト値が設定されているが、プルダウンメニュー５１において変更操作を受け付けると（ステップＳ１０４）、設定された抽出間隔に基づいて区切り線７７の間隔を変更する（ステップＳ１０６）。切り取り設定バー５２は、両端に開始位置設定アイコン５３と終了位置設定アイコン５４を備えおり、ドラッグ操作等により開始位置設定アイコン５３もしくは終了位置設定アイコン５４が移動すると、それに応じて切り取り設定バー５２も伸縮する。開始位置設定アイコン５３及び終了位置設定アイコン５４の現在位置表示バー４１上での位置は、それぞれ動画系列内の画像を抽出する抽出対象期間の開始位置と終了位置を示している。ここで、切り取り設定バー５２、開始位置設定アイコン５３、及び終了位置設定アイコン５４は、期間設定手段として機能する。また、現在位置表示バー４１、現在位置表示ブロック４２、開始位置設定アイコン５３、及び終了位置設定アイコン５４は、位置表示手段として機能する。
【００２２】
図８は、「一定間隔で連続」を選択時、開始位置の設定を行っているときのムービークリップウインドウ３０を示す模式図である。開始位置の設定において、ユーザが開始位置設定アイコン５３をマウスでドラッグすると、画像処理装置１は、開始位置のドラッグ操作を受け付け（ステップＳ１０８）、再生中のフレームの撮影経過時間を現在位置としてワークメモリ１３の現在位置記憶領域に記憶する（ステップＳ１１０）。ここで、ワークメモリ１３の現在位置記憶領域は、記憶手段として機能する。次に、ユーザがマウスでドラッグしている開始位置設定アイコン５３が指す撮影経過時間をワークメモリ１３の開始位置記憶領域に記憶して、現在位置表示ブロック４２を開始位置設定アイコン５３の位置に移動して表示し、再生領域３４には開始位置設定アイコン５３で示されている撮影経過時間に対応するフレームの画像を表示する（ステップＳ１１２）。このステップＳ１１２の処理は開始位置設定アイコン５３のドラッグが終了するまで行われる（ステップＳ１１４）。ここで、再生領域３４は、第二再生手段として機能する。
【００２３】
図９は、開始位置設定アイコン５３のドラッグが終了したときのムービークリップウインドウ３０を示す模式図である。開始位置設定アイコン５３のドラッグが終了すると、現在位置表示ブロック４２を現在位置記憶領域に記憶された撮影経過時間に対応する位置に戻し（ステップＳ１１６）、再生領域３４には現在位置表示ブロック４２で示されている撮影経過時間に対応するフレームの画像から再生を再開する。
【００２４】
図１０は、終了位置の設定を行っているときのムービークリップウインドウ３０を示す模式図である。終了位置の設定において、ユーザが終了位置設定アイコン５４をマウスでドラッグすると、画像処理装置１は、終了位置のドラッグ操作を受け付け（ステップＳ１１８）、再生中のフレームの撮影経過時間を現在位置として現在位置記憶領域に記憶する（ステップＳ１２０）。次に、ユーザがマウスでドラッグしている終了位置設定アイコン５４が指す撮影経過時間をワークメモリ１３の終了位置記憶領域に記憶して、現在位置表示ブロック４２を終了位置設定アイコン５４が指す撮影経過時間の位置に移動して表示し、再生領域３４には終了位置設定アイコン５４で示されている撮影経過時間に対応するフレームの画像を表示する（ステップＳ１２２）。このステップＳ１２２の処理は終了位置設定アイコン５４のドラッグが終了するまで行われる（ステップＳ１２４）。ここで、再生領域３４は、第三再生手段として機能する。終了位置設定アイコン５４のドラッグが終了すると、現在位置表示ブロック４２を現在位置記憶領域に記憶された撮影経過時間に対応する位置に戻し（ステップＳ１２６）、再生領域３４には現在位置表示ブロック４２で示されている撮影経過時間に対応するフレームの画像から再生を再開する。
【００２５】
図１１は、終了位置設定が終了した後、「切り取り」ボタン４０がクリックされたときのムービークリップウインドウ３０を示す模式図である。切り取り条件と抽出対象期間が設定された後、「切り取り」ボタン４０がクリックされると、画像処理装置１は、設定された抽出対象期間と時間間隔に対応するフレームのサムネイル画像５５を縮小画像領域４５に表示する。図例において、サムネイル画像４９は、「一枚ずつ」の切り取り条件で抽出されたフレームのサムネイル画像であり、複数のサムネイル画像５５は、「一定間隔で連続」の切り取り条件で抽出されたサムネイル画像である。複数のサムネイル画像５５は、同じ抽出対象期間から連続して抽出されたことを示すため、帯５６でつなげて表示する。
【００２６】
次に、切り取り条件として「総枚数を決めて連続」を選択されたときのユーザインターフェースと画像処理プログラムを実行する画像処理装置１について説明する。このとき、画像処理プログラムの画像抽出部６４では以下のような処理が行われる。「総枚数を決めて連続」が選択され、抽出対象期間や総枚数が設定された後「切り取り」ボタン４０がクリックされると、画像処理装置１は、選択された動画系列ファイル５０において、抽出対象期間に撮影された画像群から、設定された総枚数の画像を等間隔で特定し、縮小画像領域４５にその画像のサムネイル画像を表示する。例えば、抽出対象期間のフレームの数が１４１であるとし設定された総枚数が８枚であるとすると、２０フレームごとに画像を抽出し、８枚のサムネイル画像を縮小画像領域４５に表示する。
【００２７】
図１２及び図１３は、切り取り条件として「総枚数を決めて連続」を選択したときの画像処理プログラムにおける抽出条件設定部７０の処理を示すフローチャート、図１４は、「総枚数を決めて連続」を選択時のムービークリップウインドウ３０を示す模式図である。
ムービーファイル取り込み領域３１において動画系列ファイルが選択され、ムービーファイル切り取り領域３２において、「総枚数を決めて連続」のラジオスイッチ７５がマウスによりクリックされると（ステップＳ２００）、画像処理装置１は、現在位置表示バー４１に沿って伸縮自在な切り取り設定バー５２を表示し（ステップＳ２０２）、画像の抽出枚数を設定するボックス５７への操作の受け付けを可能とする。抽出枚数の設定は、ボックス５７の横に上ボタンアイコン５８と下ボタンアイコン５９が備えられ、予めボックス５７に設定されているデフォルト値を上ボタンアイコン５８と下ボタンアイコン５９をクリックすることにより増減させて行うが、スイッチ等を備えずテンキー等により直接入力するようにしてもよい。切り取り設定バー５２には、抽出枚数に相当する数の区切り線７７が書き込まれる。抽出枚数の変更操作を受け付けると（ステップＳ２０４）、設定された抽出枚数に基づいて区切り線７７の間隔を変更する（ステップＳ２０６）。
【００２８】
図１５は、「総枚数を決めて連続」を選択時、開始位置の設定を行っているときのムービークリップウインドウ３０を示す模式図である。開始位置の設定において、ユーザが開始位置設定アイコン５３をマウスでドラッグすると、画像処理装置１は、開始位置のドラッグ操作を受け付け（ステップＳ２０８）、再生中のフレームの撮影経過時間を現在位置として現在位置記憶領域に記憶する（ステップＳ２１０）。次に、ユーザがマウスでドラッグしている開始位置設定アイコン５３が指す撮影経過時間をワークメモリ１３の開始位置記憶領域に記憶して、現在位置表示ブロック４２を開始位置設定アイコン５３の位置に移動して表示し、再生領域３４には開始位置設定アイコン５３で示されている撮影経過時間に対応するフレームの画像を表示する（ステップＳ２１２）。また、画像処理装置１は、開始位置設定アイコン５３の移動に伴い、切り取り設定バー５２を伸縮させて表示し、切り取り設定バー５２上に抽出枚数に相当する数の区切り線７７を等間隔に表示する（ステップＳ２１３）。
【００２９】
このステップＳ２１２及びステップＳ２１３の処理は開始位置設定アイコン５３のドラッグが終了するまで行われる（ステップＳ２１４）。ここで、再生領域３４は、第二再生手段として機能する。開始位置設定アイコン５３のドラッグが終了すると、現在位置表示ブロック４２を現在位置記憶領域に記憶された撮影経過時間に対応する位置に戻し（ステップＳ２１６）、再生領域３４には現在位置表示ブロック４２で示されている撮影経過時間に対応するフレームの画像から再生を再開する。
【００３０】
終了位置の設定において、ユーザが終了位置設定アイコン５４をマウスでドラッグすると、画像処理装置１は、終了位置のドラッグ操作を受け付け（ステップＳ２１８）、再生中のフレームの撮影経過時間を現在位置として現在位置記憶領域に記憶する（ステップＳ２２０）。次に、現在位置表示ブロック４２をユーザがマウスでドラッグしている終了位置設定アイコン５４が指す撮影経過時間をワークメモリ１３の終了位置記憶領域に記憶して、現在位置表示ブロック４２を終了位置設定アイコン５４の位置に移動して表示し、再生領域３４には終了位置設定アイコン５４で示されている撮影経過時間に対応するフレームの画像を表示する（ステップＳ２２２）。また、画像処理装置１は、終了位置設定アイコン５４の移動に伴い、切り取り設定バー５２を伸縮させて表示し、切り取り設定バー５２上に抽出枚数に相当する数の区切り線７７を等間隔に表示する（ステップＳ２２３）。このステップＳ２２２及びステップＳ２２３の処理は終了位置設定アイコン５４のドラッグが終了するまで行われる（ステップＳ２２４）。ここで、再生領域３４は、第三再生手段として機能する。終了位置設定アイコン５４のドラッグが終了すると、現在位置表示ブロック４２を現在位置記憶領域に記憶された撮影経過時間に対応する位置に戻し（ステップＳ２２６）、再生領域３４には現在位置表示ブロック４２で示されている撮影経過時間に対応するフレームの画像から再生を再開する。終了位置設定が終了した後、「切り取り」ボタン４０がクリックされると、画像処理装置１は、設定された抽出対象期間と抽出枚数に対応するフレームのサムネイル画像を縮小画像領域４５に表示する。
【００３１】
尚、本発明の実施例において、開始位置および終了位置の設定時に、設定中のフレームの画像を再生中の画像と同じ再生領域３４に表示したが、それぞれ別の再生領域をムービークリップ画面に備えてもよい。また、開始位置及び終了位置は、開始位置設定アイコン５３及び終了位置設定アイコン５４をドラッグして移動させることにより設定されたが、左右ボタンアイコンを備えてクリックすることにより開始位置及び終了位置が移動するようにしてもよいし、開始時間と終了時間をテキスト表示し上下ボタンアイコンをクリックすることにより時間を前後させてもよい。さらに、開始位置及び終了位置の設定時、アイコンをドラッグしている間中アイコンで選択されている画像を再生領域３４に表示したが、ドラッグ操作が終了したときだけに表示するようにしてもよい。
また、本発明の実施例において、動画系列から抽出対象期間の画像を抽出するとき、時間間隔や総枚数を指定して一定間隔で抽出したが、期間内含まれる動画系列すなわち全ての画像を抽出してもよい。
【００３２】
以上のように、本発明の実施例によれば、抽出対象期間を設定するときに、抽出対象期間を設定する前に再生していたフレームの識別子を現在位置記憶領域に記憶しておくことにより、抽出対象期間を設定した後、抽出期間を設定する前に再生していた画像の続きから再生することができる。また、開始位置と終了位置を設定するとき、設定している画像を表示することにより、正確に抽出対象期間を設定することができる。さらに、現在位置、開始位置、及び終了位置を同一の現在位置表示バーに沿って示し、抽出対象期間を伸縮自在な切り取り設定バーで表すことにより、直感的な設定操作が可能になる。さらに、切り取り条件として「一定間隔で連続」または「総枚数を決めて連続」が設定できることにより、目的に応じて複数の画像の抽出が容易になる。
【図面の簡単な説明】
【００３３】
【図１】本発明の一実施例に係るフローチャート。
【図２】本発明の一実施例に係るブロック図。
【図３】本発明の一実施例に係るブロック図。
【図４】本発明の一実施例に係る画面の模式図。
【図５】本発明の一実施例に係る画面の模式図。
【図６】本発明の一実施例に係る模式図。
【図７】本発明の一実施例に係る画面の模式図。
【図８】本発明の一実施例に係る画面の模式図。
【図９】本発明の一実施例に係る画面の模式図。
【図１０】本発明の一実施例に係る画面の模式図。
【図１１】本発明の一実施例に係る画面の模式図。
【図１２】本発明の一実施例に係るフローチャート。
【図１３】本発明の一実施例に係るフローチャート。
【図１４】本発明の一実施例に係る画面の模式図。
【図１５】本発明の一実施例に係る画面の模式図。
【符号の説明】
【００３４】
１  画像処理装置、１１  ＣＰＵ（第一再生手段、期間設定手段、第二再生手段、第三再生手段、抽出手段、位置表示手段）、１３  ワークメモリ（記憶手段）、１５  操作部（期間設定手段）、１６表示部（第一再生手段、期間設定手段、第二再生手段、第三再生手段、位置表示手段）
【図１】
2005094664.tif 000003
【図２】
2005094664.tif 000004
【図３】
2005094664.tif 000005
【図４】
2005094664.tif 000006
【図５】
2005094664.tif 000007
【図６】
2005094664.tif 000008
【図７】
2005094664.tif 000009
【図８】
2005094664.tif 000010
【図９】
2005094664.tif 000011
【図１０】
2005094664.tif 000012
【図１１】
2005094664.tif 000013
【図１２】
2005094664.tif 000014
【図１３】
2005094664.tif 000015
【図１４】
2005094664.tif 000016
【図１５】
2005094664.tif 000017